(57)【特許請求の範囲】
【請求項１】
先端に針管の後端部を支持するハブと、
該ハブを摺動させて該針管を収納可能な筒状のプロテクタと、
該針管が該プロテクタから突出した状態で該ハブを該プロテクタに解除可能に係止する第１係止手段と、
該針管が該プロテクタに収納された状態で該ハブを該プロテクタに解除不能に係止する第２係止手段とを備えるプロテクタ付き医療用針において、
前記ハブの先端部は、該ハブの軸線と直交する第１の軸線上に設けられ、該ハブの外周面から離間する方向に夫々突出する一対の第１突出部と、
該第１突出部より後端側に第１の所定間隔を存して、該ハブの軸線と直交するとともに、該ハブの軸線からみて前記第１の軸線と所定角度で交差する第２の軸線上に設けられ、該ハブの外周面から離間する方向に夫々突出する一対の第２突出部とを有し、
該プロテクタの後端部には、該プロテクタの軸線と直交する第３の軸線上に設けられ、該プロテクタの内周面から該プロテクタの軸線に向かって後端側に傾斜しつつ夫々延出し、該プロテクタの軸線から離れる方向に弾性変形自在な一対の突片と、
該プロテクタの突片より先端側に前記第１の所定間隔以下の第２の所定間隔を存して該プロテクタの内周面に設けられ、前記プロテクタの軸線からみて前記第３の軸線と前記所定角度で交差する第４の軸線上において互いに対向する一対の側壁部とを有し、
該第２係止手段は、前記針管が前記プロテクタに収納されたときに、該プロテクタの前記側壁部の先端側が該ハブの該第１突出部に係止されるとともに、該プロテクタの該突片の後端側が該ハブの該第２突出部に係止されることにより構成され、
前記一対の側壁部の間隔は、該ハブの軸線からみた第１の軸線と直交する方向における両突出部の最大幅以上であって、両突出部の一方突端から他方突端までの夫々の距離未満に形成されていることを特徴とするプロテクタ付き医療用針。
【請求項２】
請求項１記載のプロテクタ付き医療用針において、
前記ハブの外周面には、該ハブの軸線に沿って条部が設けられ、
前記側壁部には、該条部が通過可能なスリットが設けられていることを特徴とするプロテクタ付き医療用針。
【請求項３】
請求項２記載のプロテクタ付き医療用針において、
前記側壁部は、前記プロテクタの各側壁部がプロテクタの軸線から離れる方向に弾性変形自在な１対の板バネ部材からなり、
前記スリットは、該各板バネ部材の対向する突端部が所定の距離離間することにより形成されていることを特徴とするプロテクタ付き医療用針。
【請求項４】
請求項１乃至３のいずれか１項に記載のプロテクタ付き医療用針において、前記プロテクタは１対の翼状部を備えることを特徴とするプロテクタ付き医療用針。
【発明の詳細な説明】
【技術分野】
【０００１】
本発明は、プロテクタ付き医療用針に関する。
【背景技術】
【０００２】
従来、先端に針管の後端部を支持し、後端に可撓性チューブが接続されるハブと、該ハブを収納可能な筒状のプロテクタとを備えるプロテクタ付き医療用針が知られている（例えば、特許文献１参照）。
【０００３】
前記プロテクタ付き医療用針は、針管が血管等に穿刺された後には抜け落ちることがなく、使用後にはプロテクタに収納された針管が再突出して誤穿刺することがないようにすることが望まれる。そこで、前記プロテクタ付き医療用針は、前記針管が前記プロテクタから突出した状態で前記ハブを該プロテクタに解除可能に係止する第１の係止手段と、該針管が該プロテクタに収納された状態で該ハブを該プロテクタに解除不能に係止する第２係止手段とを備えている。
【０００４】
前記プロテクタ付き医療用針によれば、前記針管が前記プロテクタから突出した状態で血管等に穿刺されたときには、前記ハブが前記第１の係止手段により前記プロテクタに係止されるので、該針管が血管から抜け落ちることを防止することができる。また、使用後は、前記第１の係止手段による係止を解除し、前記針管を前記プロテクタに収納することができる。
【０００５】
さらに、前記プロテクタ付き医療用針によれば、前記針管が前記プロテクタに収納されたときには、前記ハブが前記第２係止手段により前記プロテクタに係止されるので再突出することがなく、誤穿刺を防止することができる。
【先行技術文献】
【特許文献】
【０００６】
【特許文献１】特許第３１３４９２０号公報
【発明の概要】
【発明が解決しようとする課題】
【０００７】
前記従来のプロテクタ付き医療用針では、前記ハブと前記プロテクタとはいずれも合成樹脂製であり、射出成形により成形される。ところが、各別に成形された前記ハブと前記プロテクタとを組み付けようとすると、前記第１の係止手段又は前記第２係止手段が障害となり、組み付けることができないという問題がある。
【０００８】
前記問題を解決するために、例えば、前記ハブと前記プロテクタとの一方を予め成形しておき、他方の射出成形時に予め金型内に配置し、インサート成形を行うことにより、該ハブと該プロテクタとが組み付けられた状態の製品を得ることが考えられる。
【０００９】
しかしながら、前記インサート成形を行うには複雑な構造の金型を必要とし、操作が煩雑になるという不都合がある。
【００１０】
本発明は、かかる不都合を解消して、各別に成形された前記ハブと前記プロテクタとを容易に組み付けることができるプロテクタ付き医療用針を提供することを目的とする。
【課題を解決するための手段】
【００１１】
かかる目的を達成するために、本発明のプロテクタ付き医療用針は、先端に針管の後端部を支持するハブと、該ハブを摺動させて該針管を収納可能な筒状のプロテクタと、該針管が該プロテクタから突出した状態で該ハブを該プロテクタに解除可能に係止する第１係止手段と、針管が該プロテクタに収納された状態で該ハブを該プロテクタに解除不能に係止する第２係止手段とを備えるプロテクタ付き医療用針において、前記ハブの先端部は、該ハブの軸線と直交する第１の軸線上に設けられ、該ハブの外周面から離間する方向に夫々突出する一対の第１突出部と、該第１突出部より後端側に第１の所定間隔を存して、該ハブの軸線と直交するとともに、該ハブの軸線からみて前記第１の軸線と所定角度で交差する第２の軸線上に設けられ、該ハブの外周面から離間する方向に夫々突出する一対の第２突出部とを有し、該プロテクタの後端部には、該プロテクタの軸線と直交する第３の軸線上に設けられ、該プロテクタの内周面から該プロテクタの軸線に向かって後端側に傾斜しつつ夫々延出し、該プロテクタの軸線から離れる方向に弾性変形自在な一対の突片と、該プロテクタの突片より先端側に前記第１の所定間隔以下の第２の所定間隔を存して該プロテクタの内周面に設けられ、前記プロテクタの軸線からみて前記第３の軸線と前記所定角度で交差する第４の軸線上において互いに対向する一対の側壁部とを有し、該第２係止手段は、前記針管が前記プロテクタに収納されたときに、該プロテクタの前記側壁部の先端側が該ハブの該第１突出部に係止されるとともに、該プロテクタの該突片の後端側が該ハブの該第２突出部に係止されることにより構成され、前記一対の側壁部の間隔は、該ハブの軸線からみた第１の軸線と直交する方向における両突出部の最大幅以上であって、両突出部の一方突端から他方突端までの夫々の距離未満に形成されていることを特徴とする。
【００１２】
本発明のプロテクタ付き医療用針は、ハブと、該ハブが組み付けられる筒状のプロテクタとを備え、該ハブは先端に針管の後端部を支持しており、該プロテクタは該針管を収納可能とされている。
【００１３】
本発明のプロテクタ付き医療用針は、前記針管が前記プロテクタから突出した状態で血管等に穿刺する際には、前記ハブが前記第１の係止手段により前記プロテクタに係止されることにより、前記針管が血管等から抜け落ちることを防止することができる。
【００１４】
次に、本発明のプロテクタ付き医療用針は、血管等から抜去した後は、第１の係止手段による前記ハブと前記プロテクタとの係止を解除し、前記ハブを後退させることにより、前記針管が前記プロテクタ内に引き込むことができる。
【００１５】
そして、前記ハブの第１突出部及び第２突出部が前記プロテクタの後端側まで後退すると、該プロテクタの後端側に設けられた突片は、該プロテクタの内周面から該プロテクタの軸線に向かって後端側に傾斜しつつ延出しているため、前記第２突出部の後端側によってプロテクタの軸線から離れる方向に変形される。さらに、ハブを相対的に後退させると、前記突片は、前記第２突出部を乗り越え、それ自体の弾性により原状に復帰するので、該突片は後端側から前記第２突出部によって係止される。
【００１６】
このとき、ハブの第１突出部と第２突出部との距離である第１の所定間隔は、プロテクタの突片と側壁部との距離である第２の所定間隔以上であるため、ハブの第１突出部は先端側からプロテクタの側壁部を係止する。
【００１７】
この結果、前記第２係止手段を構成するハブの第１突起部及び第２突起部がプロテクタの側壁部及び突片を挟み込むことになるため、前記ハブは前記プロテクタに解除不能に係止され、前後動不能になり、該プロテクタに収容された前記針管が再突出することがなくなるので、誤穿刺を防止することができる。
【００１８】
次に、前記ハブを前記プロテクタに組み付けるときには、該プロテクタの後端側に該ハブの先端側を挿入する。このとき、ハブがプロテクタに収納される姿勢と同じ姿勢になるように、該プロテクタの後端側に該ハブの先端側を挿入しようとすると、側壁部の間隔は第１突出部の一方突端から他方突端までの距離未満に形成されているので、該第１突出部が前記側壁部に突き当たり挿入することができない。
【００１９】
しかしながら、側壁部の間隔は、該ハブの軸線からみた第１の軸線と直交する方向における該第１突出部の最大幅以上であるため、前記プロテクタと前記ハブとをその中心軸回りに相対的に回転させると、第１突出部は前記側壁部との衝突を回避して、該側壁部より先端側まで挿入される。
【００２０】
次に、前記第２突出部は、前記回転により前記突片との衝突を回避して前進することができるが、前記側壁部の間隔は第２突出部の一方突端から他方突端までの距離未満に形成されているので、今度は前記側壁部に突き当たりそれ以上挿入することができなくなる。
【００２１】
しかしながら、前記側壁部の間隔は、該ハブの軸線からみた第１の軸線と直交する方向における前記第２突出部の最大幅以上であるため、今度は、前記プロテクタと該ハブとを前回と反対方向に回転させると、該第２突出部は該側壁部との衝突を回避して該側壁部より先端側に挿入され、該ハブが前記プロテクタに組み付け完了する。
【００２２】
従って、本発明のプロテクタ付き医療用針によれば、各別に成形された前記ハブと前記プロテクタとを、インサート成形等によることなく、容易に組み付けることができる。
【００２３】
本発明のプロテクタ付き医療用針において、前記ハブの外周面には、該ハブの軸線に沿って条部が設けられ、前記側壁部には、該条部が通過可能なスリットが設けられていることが好ましい。
【００２４】
これによれば、前記ハブを前記プロテクタから相対的に後退させる際に、該ハブの条部が該側壁部のスリットによりハブの軸線に沿って案内されるので円滑に後退することができる。
【００２５】
また、本発明のプロテクタ付き医療用針において、前記側壁部は、前記プロテクタの各側壁部がプロテクタの軸線から離れる方向に弾性変形自在な１対の板バネ部材からなり、前記スリットは、該各板バネ部材の対向する突端部が所定の距離離間することにより形成されていることが好ましい。
【００２６】
これによれば、前記プロテクタと前記ハブとをその中心軸回りに相対的に前回と反対方向に徐々に回転させていくときに、前記条部が前記板バネ部材を外側に変形させていく。そして、さらに回転すると、前記板バネ部材が前記条部を乗り越えて、それ自体の弾性により原状に復帰する。これによって、前記条部が一対の板バネ部材の間隙により形成されるスリットに嵌合される。したがって、かかる構成を備えるプロテクタ付き医療用針によれば、条部が設けられたハブであっても前記プロテクタと、容易に組み付けることができる。
【００２７】
前記プロテクタは１対の翼状部材を備えることが好ましい。本発明のプロテクタ付き医療用針は、前記１対の翼状部材を重ね合わせて摘むことにより前記針管を容易に血管等に穿刺することができる。また、本発明のプロテクタ付き医療用針は、前記針管を血管等に穿刺した後は、前記１対の翼状部材を広げて粘着テープ等により皮膚に固定することができる。
【図面の簡単な説明】
【００２８】
【図１】本実施形態に係るプロテクタ付き医療用針の構成を示す斜視図。
【図２】図１に示すハブの説明図であって、図２Ａは斜視図、図２Ｂは軸方向に対する垂直方向断面図、図２Ｃは水平方向断面図。
【図３】図１に示すプロテクタの説明図であって、図３Ａは背面斜視図、図３Ｂは水平方向断面図、図３Ｃは軸方向に対する垂直断面図。
【図４】図４Ａはハブをプロテクタに組み付けた状態の要部を示す水平方向断面図、図４Ｂはハブとプロテクタとの係止を解除した状態の要部を示す水平方向断面図。
【図５】図５Ａは、ハブを後退させる途中状態を示す水平方向断面図、図５Ｂは、ハブを後退させた状態を示す水平方向断面図、図５Ｃは図５ＢのＶ−Ｖ線断面図。
【図６】図６Ａはプロテクタとハブとをその中心軸回りに相対的に９０°回転させた姿勢を示す垂直方向断面図、図６Ｂはプロテクタの後端側にハブの先端側に挿入した状態を示す垂直方向断面図。図６Ｃはプロテクタとハブとをその中心軸回りに相対的に９０°逆回転させた姿勢を示す垂直方向断面図、図６Ｄは図６Ｃの水平方向断面図。
【図７】図７はプロテクタとハブとをその中心軸回りに相対的に９０°逆回転させるときの図６ＢのＶＩＩ−ＶＩＩ線断面図であって、図７Ａは逆回転前の断面図、図７Ｂは回転途中の断面図、図７Ｃは回転完了したときの断面図。
【図８】図８は、本実施形態に係るプロテクタ付き医療用針の変形例を示す説明図であって、図８Ａは変形例に係るハブの斜視図、図８Ｂは変形例に係るプロテクタの水平方向断面図、図８Ｃは、変形例の先端部の拡大した斜視図。
【発明を実施するための形態】
【００２９】
次に、添付の図面を参照しながら本発明の実施の形態についてさらに詳しく説明する。
【００３０】
図１に示すように、本実施形態のプロテクタ付き医療用針１は、前端が鋭利な針管２を支持するハブ３と、ハブ３が組み付けられる筒状のプロテクタ４と、プロテクタ４に外嵌された一対の翼状部材５とを備える。
【００３１】
プロテクタ４はポリプロピレン樹脂等の射出成形により形成されて針管２を収容可能とされており、翼状部材５は塩化ビニル樹脂等の軟質樹脂の射出成形により形成されている。
【００３２】
図２Ａに示すように、ハブ３は、後端に可撓性チューブ６が接続されるハブ基部７と、該ハブ基部７の先端から先端方向に延びる円筒状の小円筒部７１とからなる。この小円筒部７１の先端に、針管２の後端部が支持される。
【００３３】
ハブ３は、例えばアクリロニトリル−ブタジエン−スチレン共重合樹脂（ＡＢＳ樹脂）等の合成樹脂の射出成形により形成されている。
【００３４】
図２Ｂ及び図２Ｃに示すように、小円筒部７１は、先端側に針管２が挿入されて支持される針管支持部７２ａを備え、また、ハブ基部７は、後端側に可撓性チューブ６が接続される接続管部７２ｂを備えている。この針管支持部７２ａと接続管部７２ｂとは、中間に設けられた空洞部７２ｃを介して相互に連通している。
【００３５】
ハブ基部７の後端部には、図２Ａ及び図２Ｃに示すように、小円筒部７１の中心軸に対して対称となるように、１対の腕部７３，７３が設けられている。腕部７３，７３は、ハブ基部７との間に間隔を存して、小円筒部７１の長さ方向に沿って設けられている。腕部７３の先端部には頸部７３ａを介して鉤部７３ｂが設けられており、鉤部７３ｂの先端には小円筒部７１に近接する側を鋭利とする傾斜面７３ｃが先端側から後端側に向けて形成されている。
【００３６】
ハブ基部７は、前述のようにＡＢＳ樹脂からなるので、腕部７３，７３は矢示方向に押圧されることにより、小円筒部７１方向に弾性的に変形することができる。また、腕部７３，７３は押圧が解除されると、それ自体の弾性力により原状に復帰することができる。
【００３７】
図２Ａ乃至図２Ｃに示すように、小円筒部７１の先端部の外周面上には、第１突出部７４と第２突出部７５とが設けられている。第１突出部７４は、小円筒部７１の先端に設けられ、第２突出部７５は、第１突出部７４より後端側に、第１突出部７４との間に第１の所定間隔を存して設けられている。
【００３８】
第１突出部７４は、先端側から見たときに、腕部７３，７３を結ぶ線と直交する線（本発明の第１の軸線に相当）に沿って突出している。また、第２突出部７５は、先端側から見たときに、腕部７３，７３を結ぶ線（本発明の第２の軸線に相当）に沿って突出している。
【００３９】
第１突出部７４は、先端部にスロープ７４ａを備え、上下（図２Ａ参照）対称に１対設けられている。スロープ７４ａは、先端から後端に向けて徐々に高さが高くなるよう形成されている。また、第２突出部７５は、後端部にスロープ７５ａを備え、左右（図２Ａ参照）対称に１対設けられている。スロープ７５ａは、先端から後端に向けて徐々に高さが低くなるよう形成されている。
【００４０】
また、小円筒部７１の外周面上には、軸線に沿って、第１突出部７４からハブ基部７まで全長に亘って条部７６が設けられている。
【００４１】
なお、以下では、一方の第１突出部７４の突端部から、他方の第１突出部７４の突端部までの距離を「高さ」といい、各第１突出部７４の高さ方向及び小円筒部７１の軸線の両方と直交する方向の最大幅を単に「幅」という。なお、この定義は、第２突出部７５についても同様とする。
【００４２】
なお、本実施形態では、突出部７４，７５は、小円筒部７１の先端部の外周面上に各一対ずつ設けられているが、各一個ずつであってもよい。また、第１突出部７４と第２突出部７５とは、位相が９０度ずれて突出しているが、本発明はこれに限られることなく、第１突出部７４と第２突出部７５との突出方向が平行（０度、１８０度）でなければ、他の角度であってもよい。
【００４３】
図３Ａ乃至図３Ｃに示すように、プロテクタ４は、筒状の大円筒部４１の後端部に平面視（図３Ｂ参照）において、先端側から後端側に次第に拡幅する拡幅部４２を備える。大円筒部４１の内部空間は、小円筒部７１（突出部７４，７５を含む）が摺動可能とされている。
【００４４】
拡幅部４２の後端部には、腕部７３，７３が挿入される挿入部４２ａ，４２ａを備えている。挿入部４２ａは、側方に窓部４２ｂを備えており、挿入部４２ａに挿入された腕部７３の鉤部７３ｂが窓部４２ｂに係止されるようになっている。即ち、ハブ基部７の腕部７３、鉤部７３ｂと、プロテクタ４の挿入部４２ａ、窓部４２ｂとにより第１係止手段が構成される。
【００４５】
また、図３Ａ乃至図３Ｃに示すように、プロテクタ４の後端部には、突片４３，４３と側壁部４４，４４とが設けられている。
【００４６】
図３Ａ及び図３Ｂに示すように、突片４３，４３は、プロテクタ４の軸線に向かって傾斜しつつ後端側に延びる板状部材である。突片４３，４３は、大円筒部４１の後端部から連続して、左右（図３Ａ参照）対称に一対設けられている。なお、この左右方向が、本発明におけるプロテクタ４の軸線と直交する第３の軸線に相当する。
【００４７】
また、突片４３は、プロテクタ４の軸線から外側に凸状に湾曲されている。一対の突片４３，４３の突端間は、第２突出部７５，７５の高さ以下の距離に形成されている。なお、本実施形態では、一対の突片４３，４３の突端間の距離は、小円筒部７１の直径と実質的に等しい長さに形成されている。
【００４８】
プロテクタ４は、前述のようにポリプロピレン樹脂からなるので、突片４３は、大円筒部４１の軸線から離れる方向（図３Ａの左右方向）に弾性的に変形することができる。
【００４９】
側壁部４４は、図３Ａ及び図３Ｂに示すように、突片４３より先端側に第２の所定間隔を存して設けられている。この第２の所定間隔（側壁部４４の先端から突片４３の後端の距離）は、本実施形態においては、前記第１の所定間隔（第１突出部の後端から第２突出部の先端との距離）と実質的に一致しているが、これに限られず、前記第１の所定間隔以下の長さであればよい。
【００５０】
側壁部４４は、図３ｃに示すように、大円筒部４１の内周面より内側において、水平方向に延びる平坦な板状部材である。側壁部４４は、突片４３の上下方向に一対設けられている。この上下方向が、本発明におけるプロテクタの軸線からみて前記第３の軸線と所定角度で交差する第４の軸線に相当する。
【００５１】
一対の側壁部４４，４４の距離は、突出部７４，７５の幅以上であって、突出部７４，７５の高さ以下に形成されている。なお、本実施形態では、一対の側壁部４４，４４の距離は、小円筒部７１の直径と実質的に等しい長さに形成されている。
【００５２】
また、各側壁部４４は、一対の板バネ部材４４ａ，４４ａからなる。各板バネ部材４４ａは、大円筒部４１の内周面から、水平方向に沿って中心方向に夫々延びている。また、板バネ部材４４ａと大円筒部４１（拡幅部４２）との内周面との間にはスペースが設けられており、プロテクタ４は、前述のようにポリプロピレン樹脂からなるので、板バネ部材４４ａは、大円筒部４１の外方（図３Ａの上下方向）に弾性的に変形することができる。また、各側壁部４４を構成する一対の板バネ部材４４ａ，４４ａの突端は、所定の間隔を存することでスリット４４ｂを夫々形成している。
【００５３】
なお、本実施形態においては、スリット４４ｂは、一対の板バネ部材４４ａによって形成されているが、本発明はこれに限られるものではなく、側壁部４４に溝部を設けることで形成することもできる。
【００５４】
次に、図４及び図５を参照して、プロテクタ付き医療用針１において、針管２を血管等から抜去した後、プロテクタ４に収納する際の作動について説明する。
【００５５】
針管２が血管等に穿刺されるときには、図４Ａに示すように、ハブ基部７の腕部７３の先端に設けられた鉤部７３ｂがプロテクタ４の窓部４２ｂに係止されることにより、針管２がプロテクタ４から突出した状態とされている。
【００５６】
そこで、針管２を血管等から抜去した後には、腕部７３を矢示する方向に押圧し、腕部７３を小円筒部７１方向に弾性的に変形させることにより、鉤部７３ｂと窓部４２ｂとの係止を解除する。
【００５７】
そして、図４Ｂに示すように、腕部７３を小円筒部７１方向に変形させたまま、ハブ３を後退させる。これにより、針管２は大円筒部４１内に引き込まれていく。このとき、図７Ｃに示すように、小円筒部７１の条部７６は、スリット４４ｂにより案内されるので、円滑に後退することができる。
【００５８】
そして、ハブ３を後退させていくと、図５Ａに示すように、第２突出部７５，７５が突片４３，４３に当接する。突片４３は、前述のように弾性的に変形可能なので、第２突出部７５のスロープ７５ａに案内されて大円筒部４１の軸線から離れる方向（図５Ａの上下方向）に変形する。
【００５９】
その後、さらにハブ３を後退させて、図示を省略した針管２を大円筒部４１内に収納すると、図５Ｂに示すように、突片４３，４３は第２突出部７５，７５を乗り越え、それ自体の弾性力により原状に復帰して、第１突出部７４と第２突出部７５と間の間隙に嵌合される。これにより、平面視（図５Ｂ参照）において、突片４３，４３の後端は、第２突出部７５，７５の先端により係止される。
【００６０】
このとき、前述のとおり側壁部４４の先端から突片４３の後端の距離（第２の所定距離）は、第１突出部の後端から第２突出部の先端との距離（第１の所定間隔）と実質的に一致しているので、同時に側面視（図５Ｃ参照）において、側壁部４４の先端は第１突出部７４，７４の後端より係止される。
【００６１】
つまり、プロテクタ４の突片４３及び側壁部４４が、ハブ３の突出部７４，７５によって挟持される。なお、本実施形態においては、ハブ３の突出部７４，７５と、プロテクタ４の突片４３及び側壁部４４とにより本発明の第２係止手段が構成される。
【００６２】
この結果、突片４３及び側壁部４４と突出部７４，７５との係止は、突片４３を外方に変形させない限り解除不能であるので、大円筒部４１内に収納された針管２は再突出することがなく、誤穿刺を防止することができる。
【００６３】
次に、図６を参照して、各別に成形されたハブ３とプロテクタ４とを組み付ける際の作動について説明する。
【００６４】
ハブ３をプロテクタ４に組み付ける際には、プロテクタ４の後端側にハブ３の先端側を挿入する。このとき、仮に、ハブ基部７の１対の腕部７３，７３が大円筒部４１の挿入部４２ａに挿入される姿勢で、プロテクタ４の後端側にハブ基部７の先端側を挿入しようとすると、一対の突片４３，４３の突端の間隔は、第２突出部７５，７５の高さ以下であるために、第２突出部７５，７５の先端が突片４３，４３の突端（後端）に突き当たってしまう。
【００６５】
そこで、図６Ａで示すように、プロテクタ４とハブ３とをその中心軸回りに相対的に９０°回転させておく。そのうえで、プロテクタ４の後端側にハブ３の先端側を挿入しようとすると、突片４３は、前述のように弾性的に変形可能なので、第１突出部７４のスロープ７４ａに案内されて大円筒部４１の軸線から離れる方向に変形され、第１突出部７４，７４は突片４３，４３を通過して先端側へ前進する。
【００６６】
さらに、図６Ａに示すように、一対の側壁部４４，４４の上下方向にあるときに、第１突出部７４の幅方向が上下方向に配置されるところ、一対の側壁部４４，４４の距離は第１突出部７４の幅以上に形成されているので、第１突出部７４は側壁部４４，４４を通過する。
【００６７】
また、第２突出部７５，７５は、中心軸回りに相対的に９０°回転されたことにより、突片４３との衝突を回避できる。
【００６８】
そこで、ハブ３を前進させて行くと、図６Ｂに示すように、第２突出部７５，７５が側壁部４４，４４に突き当たる。
【００６９】
次に、図６Ｂに矢示するように、プロテクタ４とハブ３とをその中心軸回りに相対的に９０°、前回と反対方向に回転させる。このようにすると、ハブ３は、腕部７３，７３がプロテクタ４の挿入部４２ａ，４２ａに挿入できる姿勢に復帰する。
【００７０】
このとき、条部７６により側壁部４４が変形される様子を、図７を参照して説明する。
【００７１】
まず、図７Ａは、図６ＢのＶＩＩ−ＶＩＩ線断面図である。この状態から、矢示する方向に回転させていくと、板バネ部材４４ａ，４４ａは、夫々上下方向にスペースを有して弾性的に変形可能であるため、図７Ｂに示すように、条部７６，７６に押し込まれて大円筒部４１の軸線から離れる方向に変形される。
【００７２】
さらに、矢示する方向に回転させていくと、図７Ｃに示すように、板バネ部材４４ａ，４４ａは条部７６，７６を乗り越え、それ自体の弾性力により原状に復帰する。これにより、条部７６，７６は夫々、対向する一対の板バネ部材４４ａ，４４ａの間のスリット４４ｂに嵌合される。
【００７３】
図６に戻り、回転完了した後の作動を説明する。このとき、図６Ｃに示すように、第１突出部７４，７４は、側壁部４４，４４をすでに通過していたため、側壁部４４より先端側に配置される。
【００７４】
また、第２突出部７５，７５も、該突片４３，４３の突端より先端側に前進した状態で回転されるので、図６Ｄに示すように、突片４３，４３を無理開きした状態で、突片４３，４３の突端（後端）より先端側に配置される。
【００７５】
そこで、ハブ３を前進させて行くと、図６Ｃにおいて、一対の側壁部４４，４４の上下方向にあるときに、第２突出部７５の幅方向が上下方向に配置されるところ、一対の側壁部４４，４４の距離は第２突出部７５の幅以上に形成されているので、第２突出部７４も側壁部４４，４４を通過する。
【００７６】
さらにハブ３を前進させて行くと、腕部７３は先端に傾斜面７３ｃを備えるので、挿入部４２ａに衝突すると、徐々に小円筒部７１方向に押圧変形され、挿入部４２ａに挿入されていく。その状態でさらに前進させると、腕部７３の先端に設けられた鉤部７３ｂが窓部４２ｂの位置に達したところで腕部７３の押圧が解除されて、腕部７３はそれ自体の弾性により原状に復帰し、鉤部７３ｂが窓部４２ｂに係止される。
【００７７】
この結果、図４Ａに示すように、ハブ３をプロテクタ４に組み付けることができる。
【００７８】
次に、図８を参照して、本実施形態の変形例にかかるプロテクタ付き医療用針を説明する。
【００７９】
該変形例に係るハブ３は、図８Ａに示すように、第１突出部７４の上下方向（図８Ａ参照）の外周面の一部に、第１平坦面７４ｂをさらに有する。第１平坦面７４ｂは、第１突出部７４の他の外周面と段差部７４ｃを介して繋がっている。
【００８０】
また、変形例に係るプロテクタ４の内周面には、図８Ｂに示すように、プロテクタ４の軸線に沿って、先端から後端まで全長に亘って、第１平坦部７４ｂに対応する第２平坦部４５が設けられている。第２平坦部４５は、大円筒部４１の内周面の上下方向に夫々設けられ、大円筒部４１の他の内周面と段差部７４ｃに対応する段差部４５ａを介して繋がっている。
【００８１】
これにより、図８Ｃに示すように、プロテクタ４の段差部４５ａ，４５ａに、ハブ基部７の段差部７４ｃ，７４ｃが挟まれた状態で、ハブ３の平坦面７４ｂとプロテクタ４の平坦面４５とが相対的に摺動される。したがって、変形例に係るプロテクタ付き医療用針によれば、ハブ３をさらに円滑に後退させることができる。
【符号の説明】
【００８２】
１…プロテクタ付き医療用針、  ２…針管、  ３…ハブ、  ４…プロテクタ、５…翼状部、  ７…ハブ基部、  ４２ａ…挿入部（第１係止手段）  ４２ｂ…窓部（第１係止手段）、  ４３…突片、  ４４…側壁部、  ４４ａ…板バネ部材、  ４４ｂ…スリット、  ７３…腕部（第１係止手段）、  ７４…第１突出部、  ７５…第２突出部、  ７６…条部。
【図１】
0006664270.tif 000002
【図２】
0006664270.tif 000003
【図３】
0006664270.tif 000004
【図４】
0006664270.tif 000005
【図５】
0006664270.tif 000006
【図６】
0006664270.tif 000007
【図７】
0006664270.tif 000008
【図８】
0006664270.tif 000009